(57)【特許請求の範囲】
【請求項１】
可撓性導管の外側表面全体に圧縮力を付加するタイラップコネクタであって、
ストラップを含むケーブルタイにして、前記ストラップが自由端と、該ストラップの錠止ヘッドに連結自在の他端とを有し、前記錠止ヘッドがストラップ受け用の開口を内部に有し、該開口が、前記ストラップの一部を前記開口内に固定するための装置を有するケーブルタイと、
前記錠止ヘッドに隣り合って位置決めしたインサートにして、前記錠止ヘッドから遠い側で且つ前記開口の前方に位置決めした弓状表面を有する中実のインサートとを含み、
ストラップの一部を錠止ヘッドのストラップ受け用の開口内に固定するための装置が一連のステップを含み、該ステップが錠止ヘッドのラチェットと合致し、
錠止ヘッド、インサート、ストラップ、が一体形成されるタイラップコネクタ。
【請求項２】
前記中実のインサートが、錠止ヘッドの開口の高さと実質的に等しい高さを有し且つ平坦である請求項１のタイラップコネクタ。
【請求項３】
前記中実のインサートが、錠止ヘッドの開口内のストラップの一部を固定するための装置と実質的に等しい高さを有し且つ平坦である請求項１のタイラップコネクタ。
【請求項４】
可撓性導管をホース継ぎ手に固定する方法であって、
内側表面及び外側表面を有する可撓性導管を提供すること、
内側表面及び外側表面を有するホース継ぎ手にして、前記外側表面上に継ぎ手部分が形成され、該継ぎ手部分を超えた外側表面部分が実質的に平坦であるホース継ぎ手を提供すること、
前記可撓性導管を、該可撓性導管の内側表面がホース継ぎ手の外側表面に隣り合い且つ可撓性導管の一部がホース継ぎ手の継ぎ手部分を超えた実質的に平坦な表面に伸延する状態下に取り付けること、
ケーブルタイから形成され、可撓性導管の外側表面全体に圧縮力を付加するコネクタにして、自由端及び該自由端とは反対側の端部を有し、該反対側の端部がストラップ錠止ヘッドに連結自在であり、前記ストラップ錠止ヘッドが内部にストラップ受け用開口を有し、該ストラップ受け用開口が、該ストラップ受け用開口内に前記ストラップの一部を固定するための装置と、前記錠止ヘッドに隣り合って位置決めした中実のインサートとを有し、該インサートが、前記錠止ヘッドから遠い側で且つ前記開口の前方に位置決めした弓状表面を有し且つ、前記ストラップを、前記可撓性導管におけるホース継ぎ手の継ぎ手部分を超える実質的に平坦な表面位置の一部の周囲に配置し、前記錠止ヘッド、インサート、ストラップ、が一体形成される前記コネクタを提供すること、
前記ストラップの自由端を錠止ヘッドのストラップ受け用開口内に配置し、前記錠止ヘッドのストラップ受け用開口内の前記ストラップ部分を、前記ストラップ部分を固定するための装置内で固定すること、
を含み、
錠止ヘッドのストラップ受け用開口内の前記ストラップ部分を固定するための装置がラチェットであり、ストラップが、錠止ヘッドの前記ラチェットと合致して錠止ヘッドのストラップ受け用開口内のストラップ部分を固定する一連のステップを有する方法。
【請求項５】
ストラップの自由端の一部がストラップ受け用開口を貫き且つ該ストラップ受け用開口を超えて伸延される請求項４の方法。
【発明の詳細な説明】
【技術分野】
【０００１】
本発明は、ここに引用することにより本明細書の一部とする、２００８年２月２２日付で提出された米国仮出願特許第６１／０６６，７６０号の利益を主張するものである。
本発明は、可撓性を有する導管を、ホース継ぎ手などのフィッティングに接続するためのタイラップコネクタに関する。
【背景技術】
【０００２】
流体源から保存又は流体処理サイトへの流体搬送用として可撓性チューブが広範に使用されている。可撓性チューブは、所望の流体搬送を提供するべく保存容積サイト又は流体処理サイトに接続される。可撓性チューブに固定したホース継ぎ手を介しての第１位置から第２位置への流体移送が一般に行われる。可撓性チューブの端部位置に高信頼且つ漏れ防止型の連結部を設けて流体汚染及びあるいは流体漏れを回避する必要がある。高信頼性連結部は、血液ポンプ、酸素濃度カートリッジ、ろ過カートリッジ、静脈内バッグその他等の医療及び製薬用途において特に必要である。
【０００３】
現在、可撓性チューブの端部位置における高信頼性連結部はケーブルタイを用いて提供される。ケーブルタイは、使用中に相互錠止する形状のストラップ及び錠止ヘッドを含む。現在入手可能なケーブルタイは、可撓性チューブの円周方向全体に沿った圧縮力を提供し得ないという欠点を持つ。この欠点は、錠止ヘッドが可撓性チューブの外側表面の輪郭を追随する十分な可撓性を持たないために生じる。従って、可撓性チューブの外側表面の被圧縮負荷の小さい部分における漏出の恐れが高まる。
【先行技術文献】
【特許文献】
【０００４】
【特許文献１】米国仮出願特許第６１／０６６，７６０号明細書
【発明の概要】
【発明が解決しようとする課題】
【０００５】
かくして、可撓性チューブをホース継ぎ手に接続するための、可撓性チューブ内部の流体の漏れ及び又は汚染を防止するコネクタを提供することが望ましい。また、可撓性チューブ内の高い流体圧力下においてさえ完全状態に維持される如きコネクタを提供することが望ましい。当該コネクタによれば、組み付け容易性のみならず、流体の漏れ又は汚染に対する高信頼性が提供される。
【課題を解決するための手段】
【０００６】
本発明によれば、可撓性導管の外側表面に一致する弓状表面を有する中実インサートを含むタイラップコネクタが提供される。インサートは別個の部品であり得、又はタイラップコネクタと一体形成され得る。タイラップコネクタは、自由端と、ストラップ錠止ヘッドに連接した第２端とを有するストラップを含む。ストラップは、当該ストラップを錠止ヘッド内部に錠止させ得るステップ付き表面を含む。錠止ヘッドはストラップの自由端を受ける開口を有する。錠止ヘッドは、ストラップのステップを受け、ストラップを錠止ヘッド内に錠止するラチェットパネルを含む。インサートは錠止ヘッドに隣り合って位置決めされる。ストラップを錠止ヘッド内に錠止し且つ可撓性導管の表面に沿って位置決めすると、インサートの弓状表面が可撓性導管の外側表面上に圧縮力を行使する。
【図面の簡単な説明】
【０００７】
【図１】図１は、本発明のタイラップコネクタの部分破除した側方断面図である。
【図２】図２は、図１のタイラップコネクタの線２−２に沿った断面図である。
【図３】図３は、図１のタイラップコネクタの平面図である。
【図４】図４は、従来のタイラップコネクタの使用時における側面図である。
【図５】図５は、本発明のタイラップコネクタの使用時における側面図である。
【図６】図６は、図５のタイラップコネクタの使用時における部分断面平面図である。
【図７】図７は、本発明のタイラップコネクタの別態様における側面図である。
【図８】図８は、本発明のタイラップコネクタの別態様における側面図である。
【発明を実施するための形態】
【０００８】
図１、２、３を参照するに、本発明のタイラップコネクタ１０が示され、ストラップ１２と、錠止ヘッド１４と、弓状表面１８を持つインサート１６と、を含んでいる。インサート１６は従来の任意の成型プロセス等を使用してストラップ１２と一体形成される。錠止ヘッド１４は、当該錠止ヘッド１４と、図示されるラチェットパネルの如き錠止装置２２との厚み部分を貫いて伸延する開口２０を含む。ストラップ１２はステップ２４を含み、ストラップ１２を通常は錠止ヘッド１４を貫かせて錠止ヘッド１４内に錠止させるに際し、このステップ２４が錠止装置２２と接触し且つ当該錠止装置２２と協動してストラップ１２を錠止ヘッド１４内にしかるべく錠止させる。
【０００９】
図４を参照するに、従来のタイラップコネクタ３０が示される。タイラップコネクタ３０は、ステップ２４と、錠止ヘッド３６とを有するストラップ３２を含む。錠止ヘッド３６は自由端３８を錠止ヘッド３６に通すための、また、錠止ヘッド３６内にストラップ３２を錠止させるための任意の従来手段を含む。錠止ヘッド３６は十分な可撓性を持たないため、ストラップ３２と、可撓性導管４２の外側表面の部分４０との間に隙間３８が形成される。可撓性導管４２は中空のホース継ぎ手導管４４を覆って位置決めされる。かくして、可撓性導管４２の前記部分４０には圧縮力が付加されないため、可撓性導管４２とホース継ぎ手導管４４との間における漏出の恐れが高まる。
【００１０】
図５及び図６を参照するに、本発明のタイラップコネクタが示される。タイラップコネクタは、ストラップ１２と、錠止ヘッド１４と、弓状表面１８を持つインサート１６とを含む。ストラップ１２のステップ２４を錠止ヘッド１４を通して引くとストラップ１２がインサート１６に圧縮力を行使する。これにより、この圧縮力がインサート１６を介して可撓性導管４２上に行使される。ストラップ１２の、可撓性導管４２と接触する残余部分もまた可撓性導管４２に圧縮力を行使するため、可撓性導管４２の外側表面全体に直接的な圧縮力が付加されることになる。ストラップ１２は、錠止装置２２と、ストラップ１２の各ステップ２４との相互作用により可撓性導管４２に当接してしかるべく保持され、かくして可撓性導管４２をホース継ぎ手導管４４に固定する。これにより、可撓性導管４２とホース継ぎ手導管４４との間のシール性が改善される。
【００１１】
インサート１６をストラップと一体形成する必要性は無く、タイラップコネクタの使用所望時に所望部分に挿通させ得る別個の部品を含み得る。随意的には、自立的設計等において所望であれば、インサート１６をストラップ１２に脱着自在に固定するための、例えば、ストラップ１２をそこに通して配置させ得る、ストラップ１２に面する側の長穴等の装置（図示せず）を含み得る。
【００１２】
更には、インサート１６の高さや弓状表面１８の長さは、図５、７、８に示す如き所望用途の必要に応じて、可撓性導管４２における更に大きいまたは小さい表面を収受するべく可変とされ得る。図５では、錠止ヘッド１４の開口２０に関するインサート１６の高さは錠止装置２２のそれと実質的に同じであるため、弓状表面１８は可能な限りの広さにおいて可撓性導管４２の表面を被覆する。図７ではインサート１６の高さは図５の実施例におけるそれ未満であり且つ錠止ヘッド１４内の錠止装置２２のベース部５０のそれと実質的に同じである。図８ではインサート１６の高さは錠止ヘッド１４の開口２０の下方ベース部５２と実質的に同じである。
【符号の説明】
【００１３】
１０  タイラップコネクタ
１２  ストラップ
１４  錠止ヘッド
１６  インサート
１８  弓状表面
２０  開口
２２  錠止装置
２４  ステップ
３０  タイラップコネクタ
３２  ストラップ
３６  錠止ヘッド
３８  自由端
３８  隙間
４２  可撓性導管
４４  ホース継ぎ手導管
５０  ベース部
５２  下方ベース部
【図１】
0005399419.tif 000002
【図２】
0005399419.tif 000003
【図３】
0005399419.tif 000004
【図４】
0005399419.tif 000005
【図５】
0005399419.tif 000006
【図６】
0005399419.tif 000007
【図７】
0005399419.tif 000008
【図８】
0005399419.tif 000009